(57)【特許請求の範囲】
【請求項１】
筒先部にベーパー回収カバーを備え、給油ポンプから燃料油の供給を受ける給油ノズルと、このベーパー回収カバーとホースにより接続して給油中に発生するべーパーを吸引回収するべーパー回収手段とを備えた給油装置において、
前記ベーパー回収カバーからべーパー回収手段を接続する流路に設けられ前記ベーパーの濃度を検知するベーパーセンサと、給油所に位置する携帯電話機からの電磁波の発信を検知する電磁波センサと、前記ベーパーセンサにより検知される濃度が基準値を下回った場合に、前記電磁波センサからの検知信号を受けて給油機構の給油ポンプを停止するか、または報知手段を作動させる制御手段とを備えたことを特徴とする給油装置。
【請求項２】
前記報知手段は、油種または給油量を設定するための操作パネルに設けられたパネル表示部における表示または報知器による報知で行うことを特徴とする請求項１記載の給油装置。
【請求項３】
前記電磁波センサは、本体ケースの外側面に設けられていることを特徴とする請求項１記載の給油装置。
【請求項４】
前記電磁波センサは、給油エリア近傍のキャノピに設けられていることを特徴とする請求項１記載の給油装置。
【発明の詳細な説明】
【０００１】
【発明の属する技術分野】
本発明は、携帯電話から発信される電磁波を検知して燃料油の供給の停止あるいは報知を行う給油装置に関するものである。
【０００２】
【従来の技術】
近年、移動体通信が注目されており、特に携帯電話機は急速に普及し拡大しつつあるが、その一方では携帯電話機から発信される電磁波によって、機器が誤作動する等の社会的な問題が発生している。ガソリン等の危険物を取り扱う給油所においては、携帯電話機の発信または着信の際に弱電流が発生し、これが原因で給油装置周辺で滞留するベーパー及び給油口から流出するベーパーに引火して、爆発等の事故につながおそれがある。また、携帯電話機の電磁波エネルギーのために給油ノズルの吐出管等に帯電し、給油口から挿入する際に車体と接触し放電してベーパーに引火するおそれがある。
【０００３】
【発明が解決しようとする課題】
しかしながら、従来の給油所に設置される給油装置では、その周辺で顧客あるいは作業員に携帯電話機の使用を禁止しても、気付かないで誤って使用したり、あるいは携帯電話機の電源を入れていることを忘れていて着信することがあり、そのため滞留するベーパー及び給油口から流出するベーパーに引火して、爆発等の事故につながるおそれがあった。すなわち、従来の給油装置では、携帯電話機の使用による弱電流の発生、あるいは発信される電磁波に起因する引火・爆発等の危険を防止できないことがあった。
【０００４】
本発明は上記事情に鑑みなされたもので、給油所における携帯電話機の使用によるベーパーへの引火・爆発等の事故を未然に防止できる給油装置を提供することを目的とする。
【０００５】
【課題を解決するための手段】
【０００６】
上記目的を達成するために、本発明の給油装置は、筒先部にベーパー回収カバーを備え、給油ポンプから燃料油の供給を受ける給油ノズルと、このベーパー回収カバーとホースにより接続して給油中に発生するべーパーを吸引回収するべーパー回収手段とを備えた給油装置において、前記ベーパー回収カバーからべーパー回収手段を接続する流路に設けられ前記ベーパーの濃度を検知するベーパーセンサと、給油所に位置する携帯電話機からの電磁波の発信を検知する電磁波センサと、前記ベーパーセンサにより検知される濃度が基準値を下回った場合に、前記電磁波センサからの検知信号を受けて給油機構の給油ポンプを停止するか、または報知手段を作動させる制御手段とを備えたことを特徴とするものである。ベーパーセンサで検知した濃度が基準値を下回った場合に、携帯電話機を使用したときにベーパーへの引火・爆発等の事故を未然に防止することができる。
【０００７】
前記報知手段は、油種または給油量を設定するための操作パネルに設けられたパネル表示部における表示または報知器による報知で行うことが、給油装置の操作を行う場所で報知できる点で好ましい。
【０００８】
前記電磁波センサは、本体ケースの外側面に設けられていることが、各給油装置ごとにその周辺の電磁波を検知できる点で好ましい。
【０００９】
前記電磁波センサは、給油エリア近傍のキャノピに設けられていることが、各給油装置ごとに設けることなく共用できる点で好ましい。
【００１０】
【発明の実施の形態】
以下、本発明を図示の一実施形態により具体的に説明する。図１〜図４は本発明実施形態の給油装置を説明する図であり、図１は給油装置の構成を説明する図、図２は制御装置の構成を説明するブロック図、図３は給油ノズル筒先部の拡大図である。
【００１１】
これらの図において、本実施形態の給油装置１０は、例えば、地上設置型の装置であり、その本体ケース１１内には、給油機構を構成するポンプ駆動用モータ１２で駆動される給油ポンプ１３、流量パルス発信器１４を有する流量計１５が順次地下タンク１６に連通する給油管１７に接続され、さらに流量計１５の流出口に配管１８を介して先端に給油ノズル１９を有する給油ホース２０が接続されている。
【００１２】
給油ノズル１９は、その筒先部２１の後端部にベーパー回収カバー２２が設けられ、給油ホース２０に添設されているベーパー回収ホース２３と、このベーパー回収ホース２３に接続され本体ケース１１内に配置されたベーパー戻り管２４とを介してベーパー回収用モータ２５で駆動されるベーパー回収ポンプ２６に接続されている。このベーパー戻り管２４の途中には、ベーパーセンサ２７が介装され、ベーパー回収ポンプ２６の吐出口には地下タンク１６に連通するベーパー回収管２８が接続されている。ベーパーセンサ２７は、流路に連通されたチャンバ内に有機溶媒に感度を有するガスセンサを収容して構成されている。
【００１３】
また、本体ケース１１には、ノズル掛け２９が設けられ、そのノズル掛け２９の近傍にノズルスイッチ３０が設けられ、さらに給油量を表示する表示器３１、油種や給油量の設定データの入力等を行う操作パネル３２、携帯電話機１から発信される電磁波を検知する電磁波センサ３３及び各部を制御する制御手段３４が設けられている。電磁波センサ３３は、例えば、１０メートル程度の範囲内にある携帯電話機１から発信される特定の周波数の電磁波を検知するセンサであり、例えば、本体ケース１１の外側面に設けられている。
【００１４】
操作パネル３２は、給油量の設定データの入力用のキーボード３２ａと、このキーボード３２ａで入力されたデータあるいは後に説明する電磁波を検知したときの注意表示を行うパネル表示部３２ｂと、電磁波を検知した報知する報知器３２ｃとを備えている。
【００１５】
制御手段３４は、ノズルスイッチ３０からの信号により、ポンプ駆動用モータ１２及びベーパー回収用モータ２５を作動させるモータ駆動手段３４ａと、ノズルスイッチ３０がオフからオンに切り替わったとき、リセットされて流量計１５の流量パルス発信器１４から出力されるパルスを計数する計数手段３４ｂと、計数手段３４ｂの計数内容を給油量に変換して表示器３１に出力する表示器駆動手段３４ｃと、ベーパーセンサ２７からの信号と予め記憶手段３４ｄに格納されている基準値、例えば２０vol ％と比較するとともに、電磁波センサ３３からの信号に基づいてモータ駆動手段３４ａ及び報知器駆動手段３４ｅに信号を出力する比較手段３４ｆとから構成されている。この報知器駆動手段３４ｅは、操作パネル３２に設けられているパネル表示部３２ｂに携帯電話機１を使用したときの注意内容を出力するとともに報知器３２ｃに警報信号を出力する。この報知器３２ｃは、例えば音響式または光学式の報知手段である。
【００１６】
次に、上記構成の給油装置の動作を説明する。図４は本発明実施形態の給油装置の動作を説明するフローチャートである。
【００１７】
同図に示すように、まず、給油ノズル１９がノズル掛け２９から外されてノズルスイッチ３０がオンに切り替わると（ＳＴ１）、制御手段３４は、表示器３１を帰零するとともに、ポンプ駆動用モータ１２及びベーパー回収用モータ２５を駆動する（ＳＴ２）。次に、自動車燃料タンクの給油口をベーパー回収カバー２２で覆うように、給油ノズル１９の筒先部２１を挿入して給油レバーを引き上げると、給油ポンプ１３からの燃料油がタンク内に流れ込み、流量パルス発信器１４から流量パルス信号が出力され（ＳＴ３）、この流量パルスを計数手段３４ｂが積算して表示器駆動手段３４ｃに出力して給油量を表示器３１に表示する（ＳＴ４）。
【００１８】
このようにして給油が開始されると、自動車燃料タンクからは給油量に見合うベーパーが給油口に流れ出すが、給油口を覆うベーパー回収カバー２２に作用している負圧により吸引されて大気中に漏れ出すのが防止される。給油ノズル１９から回収されたベーバーは、ベーパー回収ホース２３、ベーパー戻り管２４を経由してベーパーセンサ２７に流れ込み、ベーパー回収管２８を経由してベーパー回収手段、この実施形態では地下タンク１６に回収される。
【００１９】
比較手段３４ｆは、ベーパセンサ２７より検出されたベーパー濃度と、記憶手段３４ｄに格納されている基準値とを比較する。給油ノズル１９が給油口に規定通りにセットされていてべーパーが確実に回収されている場合には、ベーパー回収カバー２２から大気が吸引されずに、べーパー戻り管２４には濃度の高いベーパー、例えば２０vol ％以上のベーパーが流入することになり、基準値を上回る（ＳＴ５）。これにより、制御手段３４は、ノズルスイッチ３０がオフになるまで（ＳＴ６）、各モータ１２，２５を引き続き駆動し、ノズルスイッチ３０がオフになったとき、各モータ１２，２５を停止してポンプ１３，２６を停止する（ＳＴ７）。
【００２０】
一方、給油ノズル１９が給油口から位置ズレ等を生じて、ベーパーの一部が大気に漏洩して回収されるベーパー濃度が、例えば２０vol ％以下になると、ベーパーセンサ２７からの信号が基準値を下回る（ＳＴ５）。このとき、同時に比較手段３４は、電磁波センサ３３が携帯電話機１からの電磁波を検知したかを判断し（ＳＴ８）、検知しないときにはノズルスイッチ３０がオフになるまでの上記ステップ６（ＳＴ６）に戻り、検知したときにはモータ駆動手段３４ａに信号を出力して、各モータ１２，２５を停止しポンプ１３，２６を停止すると同時に、報知器駆動手段３４ｅに信号を出力してパネル表示部３２ｂに注意内容を表示するとともに、報知器３２ｃから警報を発し、続いてノズルスイッチ３０がオフになるのを待つ（ＳＴ１０）。
【００２１】
上記構成の給油装置１０では、自動車燃料タンクの給油口から給油ノズル１９が大きく外れたり、ベーパー回収ポンプ２６の故障等により、ベーパーが回収されない場合には、ベーパーセンサ２７からの信号が基準値を下回り、大気中にベーパーが放出されているおそれがあり、このときに電磁波センサ３３が携帯電話機１からの電波を検知したときに、制御手段３４がパネル表示部３２ｂに注意内容を表示し、報知器３２ｃから警報を発することで、作業員あるいは顧客が携帯電話機１を使用していることを知ることができ、その使用を停止することで、給油所における携帯電話機の使用によるベーパーへの引火・爆発等の事故を未然に防止することができる。
【００２２】
なお、上記実施形態において、電磁波センサ３３により携帯電話機１を使用したときの電磁波を検知して警報を報知するとともに給油ポンプを停止しているが、いずれか一方であってよい。
【００２３】
また、上記の実施形態においては、ベーパーセンサ２７をベーパー回収ポンプ２６の吸入口側に接続した例を説明したが、ベーパー回収ポンプ２６の排出側に接続したり、あるいは図３に示すようにベーパー回収カバー２２に被われる領域にベーパーセンサ２７を構成するガスセンサ３９を配置してもよい。さらに、電磁波センサ３３の検知信号によりパネル表示部３２ｂに注意内容を表示し、報知器３２ｃから警報を発するようにしてもよく、パネル表示部３２ｂあるいは報知器３２ｃのいずれか一方のみを報知させてもよく、その報知内容は表示の場合に携帯電話機１が使用されたことを知らせる任意の文字や動画等の表示、あるいは音声、光の点灯や点滅でもよい。
【００２４】
さらに、電磁波センサ３３は、本体ケース１１の外側面に設けた例を説明したが、給油エリア近傍の、例えば給油所の上部のキャノピー下部に１か所設けられていてもよく、これを各給油装置に対し共用するようにしてもよい。
【００２５】
【発明の効果】
以上説明したように、本発明においては、給油所に電磁波センサを設けて、給油エリアで携帯電話機が使用されて電磁波センサが電磁波を検出したとき、報知手段により報知するか、あるいは給油ポンプを停止していることで、給油所における携帯電話機の使用によるベーパーへの引火・爆発等の事故を未然に防止することができる。
【図面の簡単な説明】
【図１】本発明実施形態の給油装置の構成を説明する図である。
【図２】本発明実施形態の制御装置の構成を説明するブロック図である。
【図３】本発明実施形態の給油装置の給油ノズル筒先部の拡大図である。
【図４】本発明実施形態の給油装置の動作を説明するフローチャートである。
【符号の説明】
１  携帯電話機
１０  給油装置
１１  本体ケース
１２  ポンプ駆動用モータ
１３  給油ポンプ
１４  流量パルス発信器
１５  流量計
１６  地下タンク
１７  給油管
１８  配管
１９  給油ノズル
２０  給油ホース
２１  筒先部
２２  べーパー回収カバー
２３  べーパー回収ホース
２４  ベーパー戻り管
２５  ベーパー回収用モータ
２６  ベーパー回収ポンプ
２７  ベーパーセンサ
２８  ベーパー回収管
２９  ノズル掛け
３０  ノズルスイッチ
３１  表示器
３２  操作パネル
３２ａ  キーボード
３２ｂ  パネル表示部
３２ｃ  報知器
３３  電磁波センサ
３４  制御手段
３４ａ  モータ駆動手段
３４ｂ  計数手段
３４ｃ  表示器駆動手段
３４ｄ  記憶手段
３４ｅ  報知器駆動手段
３４ｆ  比較手段
３９  ガスセンサ
【図１】
0004126714.tif 000002
【図２】
0004126714.tif 000003
【図３】
0004126714.tif 000004
【図４】
0004126714.tif 000005